(57)【要約】      （修正有）【課題】二つの無線通信方式を切り替える無線通信システムにおいて、バッテリーの持ちがよく、不安定な通信状況を回避することができる通信装置および無線通信方法を提供する。【解決手段】第一の通信方式における端末の受信強度を測定し、基地局と端末間の伝搬路のロスを計算し、この伝搬路ロスを第二の通信方式で通信した場合に推定し、第二の通信方式の基地局出力と推定伝搬ロスから端末の受信電力を推定する。十分な受信電力、および安定的な受信電力が保証されている場合に、第一の無線方式から第二の無線方式に切り替えることによって、第二の通信方式で安定的な通信を確保する。【選択図】図４
2015002494.tif 000002
【特許請求の範囲】
【請求項１】
第一の通信方式、および第二の通信方式で通信可能な端末と前記第一の通信方式で通信する第一の通信装置であって、 
前記第一の通信装置は、
前記第一の通信方式での前記端末における第一の受信電力を受信する受信電力測定部と、 
前記第一の通信方式での前記端末への第一の送信電力と、前記受信電力測定部で得られた前記第一の受信電力と、前記第二の通信方式で通信する第二の通信装置の前記端末への第二の送信電力から、前記第二の通信方式での前記端末における受信電力を推定する制御部と、 
前記推定結果に基づいて、前記第一の通信装置から前記第二の通信装置に切り替えるための情報を出力する出力部、 
を有することを特徴とする通信装置。 
【請求項２】
請求項１に記載の通信装置であって、
前記制御部は、
前記第一の通信装置における前記第一の送信電力と前記端末における前記第一の受信電力から、前記第一の通信方式における第一の伝搬路損失を計算し、前記第一の伝搬路損失と前記第二の通信方式で通信する前記第二の通信装置の前記第二の送信電力を用いて前記第二の通信方式での前記端末における受信電力を推定し、
前記出力部は前記推定した受信電力が第一の値以上である場合に、前記推定結果に基づいて、前記第一の通信装置から前記第二の通信装置に切り替えるための情報を出力すること、
を特徴とする通信装置。
【請求項３】
請求項２に記載の通信装置であって、
前記制御部は、
前記第一の伝搬路損失とあらかじめ定められたオフセット値を用いて前記第二の通信方式における第二の伝搬路損失を推定し、前記第二の伝搬路損失と前記第二の通信装置の前記第二の送信電力を用いて前記第二の通信方式での前記端末における受信電力を推定すること、
を特徴とする通信装置。
【請求項４】
請求項３に記載の通信装置であって、
前記受信電力測定部は、
前記オフセット値の更新に用いる前記第二の通信方式での前記端末における前記第二の受信電力を前記端末から受信すること、
を特徴とする通信装置。
【請求項５】
請求項１に記載の通信装置であって、
前記制御部は、
前記端末における前記第一の受信電力の分散値を計算し、前記分散値が第二の値以下である場合に、前記第二の通信方式での前記端末における受信電力の推定を行うこと、
を特徴とする通信装置。
【請求項６】
請求項１に記載の通信装置であって、
前記端末における前記第二の受信電力と前記端末における前記第一の受信電力の差が第三の値以下になる前記第一の通信装置と、前記第二の通信装置を対応付けたデータベースを有し、
前記制御部は、
前記端末における前記第一の受信電力を受信した際に前記データベースを参照し、前記第一の通信装置に対応付けられた前記第二の通信装置がある場合に、前記第一の通信装置における前記第一の送信電力と前記端末における前記第一の受信電力から、前記第一の通信方式での第一の伝搬路損失を計算すること、
を特徴とする通信装置。
【請求項７】
第一の通信方式、および第二の通信方式で通信可能な端末と前記端末と前記第一の通信方式で通信する第一の通信装置とからなる無線通信システムであって、
前記第一の通信方式での前記端末における第一の受信電力を送信する前記端末と、
前記第一の受信電力を受信し、前記第一の通信方式での前記端末への第一の送信電力と、前記受信した第一の受信電力と、前記第二の通信方式で通信する第二の通信装置の前記端末への第二の送信電力から、前記第二の通信方式での前記端末における受信電力を推定し、前記推定結果に関する情報を出力する前記第一の通信装置、
から構成されること、を特徴とする無線通信システム。
【請求項８】
請求項７に記載の無線通信システムであって、
前記第一の通信装置は、
前記第一の通信装置における第一の送信電力と前記端末における前記第一の受信電力から前記第一の通信方式における第一の伝搬路損失を計算し、前記第一の伝搬路損失と前記第二の通信方式で通信する前記第二の通信装置の前記第二の送信電力を用いて前記第二の通信方式での前記端末における受信電力を推定し、前記推定した受信電力が第一の値以上である場合に、前記推定結果に関する情報を出力すること、
を特徴とする無線通信システム。
【請求項９】
請求項８に記載の無線通信システムであって、
前記第一の通信装置は、
前記第一の伝搬路損失とあらかじめ定められたオフセット値を用いて前記第二の通信方式における第二の伝搬路損失を推定し、前記第二の伝搬路損失と前記第二の通信装置の前記第二の送信電力を用いて前記第二の通信方式での前記端末における受信電力を推定すること、
を特徴とする無線通信システム。
【請求項１０】
請求項７に記載の無線通信システムであって、
前記端末における第二の受信電力と前記端末における前記第一の受信電力の差が第三の値以下になる前記第一の通信装置と、前記第二の通信装置を対応付けたデータベース、を有し、
前記第一の通信装置は、
前記第一の受信電力を受信した際に前記データベースを参照し、前記第一の通信装置に対応付けられた前記第二の通信装置がある場合に、前記第一の通信装置における前記第一の通信方式での第一の伝搬路損失を計算すること、
を特徴とする無線通信システム。
【請求項１１】
請求項７に記載の無線通信システムであって、
前記第一の通信方式と前記第二の通信方式でアンテナを共有するように、前記第一の通信装置のアンテナと前記第二の通信装置のアンテナを結合する結合装置、
を有すること、
を特徴とする無線通信システム。
【請求項１２】
請求項７に記載の無線通信システムであって、
前記出力された推定結果に関する情報を用いて、前記第一の通信方式から前記第二の通信方式へ切り替える情報を出力する無線切り替えサーバ、を有すること、
を特徴とする無線通信システム。
【請求項１３】
第一の通信方式、および第二の通信方式で通信可能な端末と前記端末と前記第一の通信方式で通信する第一の通信装置における無線通信方法であって、
前記端末は、
前記第一の通信方式での前記端末における第一の受信電力を送信し、
前記第一の通信装置は、
前記第一の受信電力を受信し、前記第一の通信方式での前記端末への第一の送信電力と、前記受信した第一の受信電力と、前記第二の通信方式で通信する第二の通信装置の前記端末への第二の送信電力から、前記第二の通信方式での前記端末における受信電力を推定し、前記推定結果に関する情報を出力すること、
を特徴とする無線通信方法。
【請求項１４】
請求項１３に記載の無線通信方法であって、
前記第一の通信装置は、
前記第一の通信装置における前記第一の送信電力と前記端末における前記第一の受信電力から前記第一の通信方式における第一の伝搬路損失を計算し、前記第一の伝搬路損失と前記第二の通信方式で通信する前記第二の通信装置の前記第二の送信電力を用いて前記第二の通信方式での前記端末における受信電力を推定し、前記推定した受信電力が第二の値以上である場合に、前記推定結果に関する情報を出力すること、
を特徴とする無線通信方法。
【請求項１５】
請求項１３に記載の無線通信方法であって、
前記第一の通信装置は、
前記第一の伝搬路損失とあらかじめ定められたオフセット値を用いて前記第二の通信方式における第二の伝搬路損失を推定し、前記第二の伝搬路損失と前記第二の送信電力を用いて前記第二の通信方式での前記端末における受信電力を推定すること、
を特徴とする無線通信方法。
【請求項１６】
第一の通信方式で第一の通信装置と通信を行い、かつ第二の通信方式で通信可能な端末であって、
前記端末は、
前記第一の通信方式での前記端末における第一の受信電力を測定する第一の電力測定部と、
前記第一の電力測定部で測定した第一の受信電力を送信する第一の送信部と、
前記第一の通信装置が前記第一の受信電力と、前記第一の通信方式での前記端末における第一の送信電力と、前記第二の通信方式での前記端末における第二の送信電力、から推定した前記第二の通信方式での前記端末における受信電力に関する情報を用いた通信方式切り替えに関する情報を受信する受信部と、
前記受信した通信方式切り替えに関する情報を用いて、前記第一の通信方式から前記第二の通信方式へと切り替える無線切り替え処理部、
を有すること、を特徴とする端末。
【請求項１７】
請求項１６に記載の端末であって、
前記第二の通信方式での前記端末における第二の受信電力を測定する第二の電力測定部と、
前記測定した第二の受信電力が第一の値以上である場合に、前記第一の通信方式から前記第二の通信方式へ切り替える判断をする方式切り替え判断部、
を有すること、を特徴とする端末。
【発明の詳細な説明】
【技術分野】
【０００１】
本発明は、複数の無線通信方式あるいは複数の無線周波数を扱う無線通信システムにおいて、最適な通信方式や周波数を切り替える通信方法に関するものである。
【背景技術】
【０００２】
携帯電話に代表される無線通信システムでは、スマートフォンの登場などによってデータ通信系の高速通信需要が更なる高まりを見せており、モバイルトラフィックが急増している状況である。
【０００３】
急増するモバイルトラフィックを収容するアプローチとして、使用できる周波数資源の帯域を増加させる方法、無線通信方式の高度化により限られた周波数資源の中で送る情報量を向上する周波数利用効率を向上する方法、無線送信出力を小さくした基地局を多数設置することによってシステム全体の容量を向上する方法、複数の無線通信システムを組み合わせて効率的にトラフィックを収容する方法などがあげられる。
【０００４】
無線通信方式の高度化や周波数利用効率を向上するための通信システムとして、次世代高速無線方式のLTE(Long Term Evolution)方式やWiMAX（Worldwide Interoperability for Microwave Access）方式による高速無線インフラが整備されつつある。また、駅や空港などに代表されるように、人が多く集まりトラフィックが多くなる場所（ホットスポット）には、無線送信出力の小さい無線LANサービスが広がっており、これら複数の無線通信システムを活用することによって、急増するモバイルトラフィックを収容している。
【０００５】
スマートフォンで無線LANの設定をONにしておくと、周囲に無線LANの基地局があるかサーチを繰り返し、バッテリーを消費してしまうという課題がある。複数の無線システムがある場合、無線システムの存在を端末がサーチする頻度が増えると、このバッテリー消費の問題が顕在化してくる。
【０００６】
この問題に対して、非特許文献１ではANDSF（Access Network Discovery & Selection Function）という複数の無線通信システムに接続するために必要な情報が定義されており、これを端末に通知することによって、端末が適切なネットワークを選択するための仕組みが提供されている。無線LANとセルラシステムのどちらに接続させるか、そのポリシーは時間帯、場所、ネットワークの混雑状況などに応じてきめ細かく設定することができる。
【０００７】
図１を用いて、通信方式の切替を行うシステム構成について説明する。このシステム構成では、方式Ａと方式Ｂの二つの通信方式が存在するものとする。方式Ａでは、端末111bがインターネット101に接続するためには、基地局109aを介してキャリア網107を通じ、ゲートウェイ（方式Ａ）を介してインターネット101に接続する。端末111bが正規に登録されている端末であるかどうかを認証するために認証装置（方式Ａ）104によって端末認証、ユーザ認証を行うものとする。方式Ｂについても同様な構成によって、端末111aがインターネット101に接続されているものとする。方式切替サーバ105は、二つの通信方式を切り替えるために必要な情報を端末111aや111bに通知することによって、通信方式を切り替えることができる。
【０００８】
例えば、方式ＡをLTE、方式Ｂを無線LANとし、方式切替サーバ105を、ANDSFサーバとすれば、LTEと無線LANの通信方式をANDSFサーバに定義されたポリシーに従って切り替えることができる。
【０００９】
一方、無線LANシステムでは多数のユーザが収容されて、同時通信が多数発生した場合、無線パケットを衝突回避するためのCSMA(Carrier Sense Multiple Access)によって遅延時間が増大する。ベストエフォート型のトラフィックであれば遅延は問題にならないが、リアルタイム性が要求されるトラフィックに対しては、QoSを保証する仕組みを盛り込んだLTEやWiMAX等のシステムが必要になる。このため、上記のホットスポットにおいても、無線LANのみ設置するのではなく、LTEやWiMAX等で無線送信出力の小さい基地局を配置する必要がある。
【００１０】
同一の無線システムでは、無線送信出力が小さいスモールセル基地局と無線送信出力が大きいマクロセル基地局を組み合わせたシステムにおいて、スモールセルに効率よく接続するための技術として、特許文献１や特許文献２がある。
【００１１】
特許文献１では、端末からマクロセル基地局に対する接続要求の無線信号をスモールセル基地局で傍受し、あらかじめ定められた閾値以上の受信電力の信号が検出された場合に、スモールセル基地局に端末を接続する。
【００１２】
特許文献２では、端末が周辺のスモールセル基地局から受信した信号の受信電力値にオフセット値を付加した値と、端末が従属しているマクロセル基地局から受信した信号の受信電力値のうち大きい値に対応する基地局に端末を接続する。
【先行技術文献】
【特許文献】
【００１３】
【特許文献１】特開2009-253569号公報
【特許文献２】特開2012-23519号公報
【非特許文献】
【００１４】
【非特許文献１】3GPP TS 24.312 V11.4.0 (2012-09),” Access Network Discovery and Selection Function (ANDSF) Management Object (MO)” 、ｐ.11―74
【発明の概要】
【発明が解決しようとする課題】
【００１５】
二つの無線通信方式を切り替える無線通信システムにおいて、第一の無線方式で通信している際に、第二の通信方式の基地局の存在をサーチすると端末のバッテリーの持ちがよくないという課題がある。これに対して、非特許文献１では、時間帯、場所、ネットワークの混雑状況に応じて、サーバ装置から端末に接続ポリシーを通知することによって、第二の無線方式に接続する方法が提供されている。ただし、従来の技術では、サーバ装置から第一の無線方式から第二の無線方式へ接続ポリシーを通知した場合、第二の通信方式で端末における電波の受信電力が安定的であることを保証する仕組みがないため、第二の通信方式に切り替えたとき、第二の無線方式の受信電力が弱いと、認証などに時間がかかり、安定した通信を提供することができないという課題がある。
【００１６】
特許文献１の従来技術では、マクロ基地局と端末の通信を第一の無線方式の通信とし、スモールセル基地局と端末の通信を第二の無線方式とした場合、第二の無線基地局で第一の無線基地局に対する接続信号を傍受する必要があり、同一の周波数である必要がある。このため、第一の無線通信方式をＬＴＥ、第二の無線通信方式を無線ＬＡＮとした場合には、特許文献１で開示された制御を行うことができない。
【００１７】
特許文献２の従来技術においても、スモールセル基地局とマクロセル基地局が同一の無線通信方式を前提としたものであるので、複数の無線通信方式間で安定的な接続を提供するものではない。
【課題を解決するための手段】
【００１８】
本発明の第１の解決手段によると、第一の通信方式、および第二の通信方式で通信可能な端末と前記第一の通信方式で通信する第一の通信装置であって、前記第一の通信装置は、前記第一の通信方式での前記端末における第一の受信電力を受信する受信電力測定部と、 前記第一の通信方式での前記端末への第一の送信電力と、前記受信電力測定部で得られた前記第一の受信電力と、前記第二の通信方式で通信する第二の通信装置の前記端末への第二の送信電力から、前記第二の通信方式での前記端末における受信電力を推定する制御部と、前記推定結果に基づいて、前記第一の通信装置から前記第二の通信装置に切り替えるための情報を出力する出力部、を有することを特徴とする基地局が提供される。
【発明の効果】
【００１９】
第一の無線方式で測定した受信電力をベースとして、第二の無線方式で通信した場合の受信電力を推定するため、十分な受信電力、および安定的な受信電力が保証されている場合に、第一の無線方式から第二の無線方式に切り替えるため、第二の通信方式で安定的な通信を確保することができる。第二の無線方式を無線ＬＡＮとした場合は、安定した受信電力で無線ＬＡＮに切り替えるため、無線ＬＡＮのサーチ処理を定期的に行う必要がなく、端末のバッテリーの持ちがよくなり、また受信電力の弱い場所で無線ＬＡＮの接続処理など不安定な通信状況を回避することができるという利点がある。
【図面の簡単な説明】
【００２０】
【図１】通信方式を切り替える従来技術のシステム構成の説明図
【図２】本発明の実施形態１におけるシステム構成図
【図３】本発明の実施形態２におけるシステム構成図
【図４】本発明の実施形態1における方式Ａから方式Ｂに切り替える動作シーケンスの説明図（実施例１）
【図５】本発明の実施形態1における方式Ａから方式Ｂに切り替える動作シーケンスの説明図（実施例２）
【図６】本発明の実施形態1における方式Ｂから方式Ａに切り替える動作シーケンスの説明図（実施例１）
【図７】本発明の実施形態1における方式Ｂから方式Ａに切り替える動作シーケンスの説明図（実施例２）
【図８】本発明の実施形態1における方式Ｂから方式Ａに切り替える動作シーケンスの説明図（実施例３）
【図９（ａ）】本発明の実施形態１における基地局Ｂが起動状態からスリープ状態に遷移する動作シーケンスの説明図
【図９（ｂ）】本発明の実施形態1における基地局状態リストの説明図
【図１０】本発明の実施形態１における基地局Ｂのスリープから起動状態に遷移する動作シーケンスの説明図
【図１１（ａ）】本発明の実施形態１における方式切替サーバにおける端末状態管理の動作シーケンスの説明図
【図１１（ｂ）】本発明の実施形態1における端末状態リストの説明図
【図１２】本発明の実施形態１における集中型基地局Ａの構成図
【図１３】本発明の実施形態１における集中型基地局ＡのモデムＡの構成図
【図１４（ａ）】本発明の実施形態１における集中型基地局Ａの制御部の説明図
【図１４（ｂ）】本発明の実施形態1における基地局Ｂ・無線装置対応情報のデータベースの説明図
【図１５】本発明の実施形態１における集中型基地局Ａの制御部の受信電力情報の説明図
【図１６（ａ）】本発明の実施形態１における集中型基地局の制御部における端末受信電力推定処理部のフロー説明図
【図１６（ｂ）】本発明の実施形態１における集中型基地局の制御部における端末受信電力推定処理部での補正テーブルのデータベースの説明図
【図１７】本発明の実施形態１における基地局Ｂの構成図
【図１８】本発明の実施形態１における端末の構成図
【図１９】本発明の実施形態１における結合装置の説明図
【図２０】本発明の実施形態１における結合装置で検出した方式を問い合わせる動作シーケンスの説明図
【図２１】本発明の実施形態１における基地局Ｂの電源起動の動作シーケンスの説明図
【図２２】本発明の実施形態１における方式切替サーバの構成図
【図２３】本発明の別の実施形態３のシステム構成図
【図２４】本発明の別の実施形態４のシステム構成図
【発明を実施するための形態】
【００２１】
本実施例では、二つの無線通信方式を切り替える通信システムであって、第一の通信方式から第二の通信方式に切り替えることを判断するサーバ装置と、第一の通信方式の基地局、ゲートウェイ、認証装置と第二の通信方式の基地局、ゲートウェイ、認証装置と端末から構成される通信システムにおいて、第一の無線方式における受信電力を用いて、第二の通信方式で通信した場合の端末の受信電力を推定し、推定した受信電力が閾値以上である場合に、第一の通信方式から第二の通信方式に切り替えることをサーバ装置から端末に通知することを特徴とする通信システムを提供する。
【００２２】
例えば、第一の無線方式における受信電力とは、第一の無線方式の基地局から定期的に送信するリファレンス信号を端末で受信した際の受信電力を測定し、測定した受信電力の情報を第一の無線方式の基地局に報告することによって、基地局が第一の無線通信方式の受信電力を得る。
【００２３】
また、第一の無線方式の基地局が第一の無線方式の送信出力と上記の受信電力の差から伝搬路のロスを計算し、これにオフセット値を加算することで第二の通信方式に対応する伝搬路のロスを推定し、第二の通信方式の基地局の送信出力から推定した第二の通信方式に対応する伝搬路のロスから第二の通信方式における端末での受信電力を推定することを特徴とする。
【実施例１】
【００２４】
発明の実施形態について、以下、図面を用いて説明する。
【００２５】
図２に、本発明の実施形態１におけるシステム構成図を示す。
【００２６】
インターネット１０１、ゲートウェイ（方式Ａ）１０２、ゲートウェイ（方式Ｂ）１０３、認証装置（方式Ａ）１０４、認証装置（方式Ｂ）、方式切替サーバ１０５、基地局Ａ１０９a、基地局Ｂ１１０、端末１１１a、端末１１１ｂについては、図１と同様のシステム構成である。基地局Ｂ１１０が送受信するアンテナに対して、結合装置２０４を置くことによって、方式Ａと方式Ｂの信号を共用する。方式Ａの信号を送受信するための無線装置ＲＲＨ_Ａ２０３aで、方式Ａの信号を結合装置２０４とやりとりする。また、図１において基地局Ａ１０９ｂの場所に対して、方式Ａの信号を送受信する無線装置ＲＲＨ_Ａ２０３ｂに置き換え、無線装置ＲＲＨ_Ａ２０３aや無線装置ＲＲＨ_Ａ２０３ｂへの信号を分配・収集する伝送装置２０２を介して集中型基地局Ａ２０１に接続する。集中型基地局Ａ２０１では、方式Ａの複数モデムを有している。この集中型基地局には、モデムのベースバンド信号処理、Ｌａｙｅｒ２機能、Ｌａｙｅｒ３機能なども搭載されている。一つのモデムに対して、一つの無線装置ＲＲＨ_Ａ２０３aが対応するものとする。実施例１では、このようにベースバンド信号処理機能を集約したアーキテクチャを前提として説明する。
【００２７】
図３に、本発明の実施形態２におけるシステム構成図を示す。
【００２８】
このシステム構成は、建物などの内部をカバーするための分散アンテナシステム（ＤＡＳ：Ｄｉｓｔｒｉｂｕｔｅｄ  Ａｎｔｅｎｎａ  Ｓｙｓｔｅｍ）を示している。図１に示した認証装置（方式Ａ）１０２やインターネット１０１に接続するゲートウェイ（方式Ａ）１０２などは省略している。外部との接続を行う高速バックホール回線終端装置３０２は、図１のキャリア網１０７に接続されているものとする。集中型基地局Ａ２０１は伝送装置２０２を介して、無線装置ＲＲＨ＿Ａ２０３a・２０３ｂ・２０３ｃに接続している。また、基地局Ｂ１１０a・１１０ｂ・１１０ｃは高速バックホール回線終端装置３０２に接続されている。結合装置２０４a・２０４ｂ・２０４ｃは、基地局Ｂ１１０a・１１０ｂ・１１０ｃと無線装置ＲＲＨ＿Ａ２０３a・２０３ｂ・２０３ｃの出力を結合し、各アンテナ３０１a〜３０１iに分配している。図２では、基地局Ｂ１１０aの電波が届く範囲は、無線装置ＲＲＨ＿Ａ２０３a・２０３ｂの電波が届く範囲でカバーされていることを前提にしているが、図３では基地局Ｂ１１０aの電波が届く範囲は、無線装置ＲＲＨ＿Ａ２０３aでカバーされているが、無線装置ＲＲＨ＿Ａ２０３ｂではカバーされていない。
【００２９】
図４に、本発明の実施形態1における方式Ａから方式Ｂに切り替える動作シーケンスの説明図（実施例１）を示す。まず、端末１１１aは、方式Ａで通信を行っているとする。集中型基地局Ａ２０１は、無線装置ＲＲＨ＿Ａ２０３aを経由して定期的にリファレンス信号Ａを送信している。端末１１１aは、このリファレンス信号Ａを受信すると、その受信電力を測定する。端末１１１aは、測定したリファレンス信号Ａの受信電力を受信電力報告（方式Ａ）の制御メッセージによって集中型基地局Ａ２０１に報告する。
【００３０】
以降、制御メッセージには、メッセージ種別を表すフィールドを持っているものとする。例えば、受信電力報告（方式Ａ）の制御メッセージでは、受信電力報告（方式Ａ）であることを表すメッセージ種別が定義されている。
【００３１】
また、制御メッセージが含んでいる情報要素について詳細の説明がない場合には、標準で規定されている制御メッセージのフォーマットに準拠しているものとする。
【００３２】
また、ある制御メッセージに対する応答を表す制御メッセージには、制御メッセージを受け取った結果の処理が成功したか失敗したかステータスを情報要素として含むものとする。以降では、ステータスの情報要素については、応答メッセージには含まれているものとする。
【００３３】
各制御メッセージで固有の情報要素がある場合には、各制御メッセージで説明する。
【００３４】
受信電力報告（方式Ａ）の制御メッセージでは、端末ＩＤ、集中型基地局Ａ２０１の基地局ＩＤ、無線装置ＲＲＨ＿Ａ２０３aの無線装置ＩＤ、無線装置ＩＤに対応したリファレンス信号の受信電力値を情報要素として持つ。
【００３５】
集中型基地局Ａ２０１は、受信電力報告（方式Ａ）の制御メッセージを受信すると、受信電力報告（方式Ａ）に含まれている無線装置ＩＤを抽出し、この無線装置とアンテナを共用、もしくは近い場所から送信している基地局Ｂをあらかじめ登録しておいたデータベースを検索することによって特定する。例えば、無線装置ＲＲＨ＿Ａ２０３aの無線装置ＩＤと、基地局Ｂ１１０aの基地局ＩＤを、あらかじめデータベースに登録しておいた場合、受信電力報告（方式Ａ）の制御メッセージを受信した際に、無線装置ＲＲＨ＿Ａ２０３aの無線装置ＩＤから基地局Ｂ１１０aの基地局ＩＤを特定することができる。基地局Ｂの登録がある場合は、方式Ｂに切り替える可能性があるため、以降に示す処理を行うが、基地局Ｂの登録がない場合は、以降の処理を行わない。
【００３６】
受信電力報告（方式Ａ）の制御メッセージで報告された無線装置ＲＲＨ＿Ａ２０３aからのリファレンス信号Ａの受信電力をベースとして、端末１１１aが方式Ｂで通信した場合の通信安定度の判定処理を行う。この通信安定度の判定処理として、方式Ｂで通信した場合の端末１１１aにおける受信電力を、方式Ａで報告されたリファレンス信号Ａの受信電力で推定する方法を例に説明する。なお、図４では、この通信安定度の判定処理を集中型基地局Ａ２０１にて行う例を示したが、この機能を方式切替サーバ１０５に保持して実施してもよい。
【００３７】
無線装置ＲＲＨ＿Ａ２０３aで方式Ａのリファレンス信号Ａのアンテナ端における送信電力をＴＸＰ＿Ａ（dBm）とし、端末１１１aで測定した受信電力をＲＸＰ＿Ａ(dBm)とする。このとき、パスロスＰＬ＿Ａ(dB)は、下記の数式１で表すことができる。
【００３８】
（数１）
ＰＬ＿Ａ＝ＴＸＰ＿Ａ−ＲＸＰ＿Ａ
ここで、方式Ａの周波数におけるパスロスＰＬ＿Ａに対して、方式Ｂの周波数におけるＰＬ＿Ｂをオフセット値（ＯＦＦＳＥＴ）によって、下記の数式２のように補正する。
【００３９】
（数２）
ＰＬ＿Ｂ＝ＰＬ＿Ａ＋ＯＦＦＳＥＴ
このオフセット値は、周波数の違いによる伝搬特性の差分として補正する値である。なお、後述で推定する方式Ｂの推定受信電力ＲＸＰ＿Ｂと、実際に通信して測定した受信電力ＲＸＰ＿Ｂの差分を学習してＯＦＦＳＥＴの値を更新する方法もある。
方式Ｂで基地局Ｂ１１０のアンテナ端での送信出力をＴＸＰ＿Ｂ（dBm）とすると、方式Ｂで通信した場合に、端末１１１aでの受信電力ＲＸＰ＿Ｂ（dBm）は、下記の数式３で推定することができる。
【００４０】
（数３）
ＲＸＰ＿Ｂ＝ＴＸＰ＿Ｂ−ＰＬ＿Ｂ
ここで、集合型基地局Ａは、オペレータが運用保守システムによって事前に設定する運用上のシステムパラメータによって基地局Ｂ１１０のアンテナ端での送信出力ＴＸＰ＿Ｂの値を得る。もしくは、集合型基地局Ａから基地局Ｂ１１０に対して、送信出力を問い合わせる制御メッセージによって送信出力ＴＸＰ＿Ｂを求めてもよい。
この推定した方式Ｂの端末１１１aでの受信電力ＲＸＰ＿Ｂが、事前に定められた閾値（Ｔｈｒ１）以上（数式４）であれば、集中型基地局２０１は、方式切替サーバ１０５に方式Ｂチェック要求の制御メッセージを送信する。以降に示す閾値は、オペレータが運用保守システムによって事前に設定する運用上のシステムパラメータである。
【００４１】
（数４）
ＲＸＰ＿Ｂ≧Ｔｈｒ１
方式Ｂチェック要求の制御メッセージには、集中型基地局Ａ２０１の基地局ＩＤ、上述で特定した基地局Ｂ１１０aの基地局ＩＤと受信電力報告（方式Ａ）の制御メッセージで指定された端末１１１aの端末ＩＤを含めるものとする。
【００４２】
方式切替サーバ１０５は、方式Ｂチェック要求の制御メッセージを受信すると、集中型基地局Ａ２０１に方式Ｂチェック要求応答の制御メッセージを返答する。
【００４３】
方式Ｂチェック要求応答の制御メッセージには、方式Ｂチェック要求の制御メッセージで指定された基地局ＩＤと端末ＩＤを含むものとする。
【００４４】
方式切替サーバ１０５は、方式Ｂチェック要求で指定された端末ＩＤに対して、方式Ｂチェック指示の制御メッセージを通知する。
【００４５】
ここで、方式Ｂチェック指示の制御メッセージには、方式Ｂチェック要求の制御メッセージで指定された基地局Ｂ１１０aの基地局ＩＤを含めるものとする。
【００４６】
端末１１１aは、方式Ｂチェック指示の制御メッセージを受信すると、方式Ｂチェック指示応答を方式切替サーバ１０５に通知し、方式Ｂのシステムを起動する。方式Ｂチェック指示応答の制御メッセージには、端末ＩＤを含めるものとする。
【００４７】
端末１１１aは、基地局Ｂ１１０から定期的に送信しているリファレンス信号Ｂを受信する。このリファレンス信号Ｂの受信電力があらかじめ定められた閾値（Ｔｈｒ３）以上であれば、方式を切り替える判断をする。
【００４８】
もしくは、リファレンス信号Ｂの受信電力があらかじめ定められた閾値（Ｔｈｒ３）以上、かつリファレンス信号Ｂから基地局ＩＤが判別できる場合は、判別した基地局ＩＤが、方式Ｂチェック指示の制御メッセージで指定された基地局ＩＤと一致している場合に、方式を切り替える判断をする。
【００４９】
方式切替の判断が行われた場合、端末１１１aは、基地局Ｂ１１０にアクセス要求の制御メッセージを送信し、基地局Ｂ１１０は、端末１１１aにアクセス要求応答を通知する。端末１１１aは、基地局Ｂ１１０との無線リンクを確立した後で、認証装置（方式Ｂ）１０６に対して認証要求の制御メッセージを送信する。認証装置（方式Ｂ）１０６は、認証要求の制御メッセージを端末１１１aから受信すると、端末ＩＤやユーザＩＤなどの情報によって端末認証、ユーザ認証を行い、正規のユーザ端末であるか否かを判定し、認証要求応答の制御メッセージにて端末１１１aに判定結果を通知する。端末１１１aは、認証装置（方式Ｂ）１０６から、認証要求応答の制御メッセージを受信し、認証に成功した場合、方式Ａから方式Ｂに切替を行う。以降の通信は、方式Ｂにて通信を行うものとする。
【００５０】
ここで、方式切替が頻繁に起こる場合に、過去に認証装置（方式Ｂ）で認証をすませていれば、一定時間の間、認証装置（方式Ｂ）で認証した状態を記憶しておき、端末１１１aからの認証要求に対して、応答時間の短縮化を図ることも可能である。
【００５１】
図５に、本発明の実施形態1における方式Ａから方式Ｂに切り替える動作シーケンスの説明図（実施形態２）を示す。
【００５２】
端末１１１aが受信電力報告（方式Ａ）の制御メッセージを集中型基地局Ａ２０１に通知し、方式Ｂの基地局Ｂが存在することを確認する手順までは、図４で説明した内容と同じである。方式Ｂで通信した場合の通信安定度の判定処理において、端末１１１aが安定的に基地局Ｂ１１０aの配下にいるかどうか移動判定処理と、方式Ｂで通信した場合の端末１１１aの受信電力の両方を活用することで、方式Ｂで通信した場合の安定性をネットワーク側で保証する。ここで、移動判定処理を導入しているのは、集中型基地局Ａ２０１の配下にいる端末が早い速度で移動している場合に方式Ｂに切り替えたとしても、すぐに基地局Ｂの電波が届かないところに移動してしまう可能性がある状況を考慮し、事前に移動判定処理を導入することによって方式Ｂに切り替えた後でも基地局Ｂ１１０ａに留まっている確率を高め、切り替え後の通信を安定にすることができる。
【００５３】
移動判定処理では、方式Ａのリファレンス信号Ａの受信電力報告（方式Ａ）で報告される受信電力ＲＸＰ＿Ａ（dBm）をＮ個蓄積し、ＲＸＰ＿Ａの分散値ＳＩＧＭＡ＿ＲＸＰ＿Ａ(dBm)を求める。この分散値が閾値（Ｔｈｒ２）未満であれば、移動していないと判定する。端末１１１aは安定的に無線装置ＲＲＨ＿Ａ２０３aの配下にいることを判断することができる。
【００５４】
（数５）
ＳＩＧＭＡ＿ＲＸＰ＿Ａ  ＜  Ｔｈｒ２
この条件を満たした場合、上述の数式４によって方式Ｂで端末１１１aが受信する受信電力の推定値ＲＸＰ＿Ｂが閾値（Ｔｈｒ１）以上である二つの条件を満たした場合、集中型基地局Ａ２０１は方式切替サーバ１０５に、方式Ｂ切替要求の制御メッセージを送信する。
【００５５】
方式Ｂ切替要求の制御メッセージの情報要素は、方式Ｂチェック要求の制御メッセージと同一であり、制御メッセージのメッセージ種別のみが異なる。
【００５６】
方式切替サーバ１０５は、方式Ｂ切替要求の制御メッセージを受信すると、集中型基地局Ａ２０１に方式Ｂ切替要求応答の制御メッセージを返答する。
【００５７】
方式Ｂ切替要求応答の制御メッセージの情報要素も、方式Ｂチェック要求応答の制御メッセージと同一であり、制御メッセージのメッセージ種別のみが異なるものとする。
【００５８】
方式切替サーバ１０５は、方式Ｂ切替要求の制御メッセージの端末ＩＤで指定された端末に対して、方式Ｂ切替要求指示の制御メッセージを通知する。
【００５９】
この方式Ｂ切替要求指示の制御メッセージの情報要素も、方式Ｂチェック指示の制御メッセージと同一であり、制御メッセージのメッセージ種別のみが異なるものとする。
【００６０】
端末１１１aは、方式Ｂ切替要求指示の制御メッセージを受信すると、方式Ｂ切替要求指示応答を方式切替サーバ１０５に通知し、方式Ｂのシステムを起動する。
【００６１】
方式Ｂ切替要求指示応答の制御メッセージの情報要素も、方式Ｂチェック指示応答の制御メッセージと同一であり、制御メッセージのメッセージ種別のみが異なるものとする。
【００６２】
端末１１１aは、基地局Ｂ１１０にアクセス要求の制御メッセージを送信し、基地局Ｂ１１０は、端末１１１aにアクセス要求応答を通知する。端末１１１aは、基地局Ｂ１１０との無線リンクを確立した後で、認証装置（方式Ｂ）１０６に対して認証要求の制御メッセージを送信する。認証装置（方式Ｂ）１０６は、認証要求の制御メッセージを端末１１１aから受信すると、端末ＩＤやユーザＩＤなどの情報によって端末認証、ユーザ認証を行い、正規のユーザ端末であるか否か判定し、認証要求応答の制御メッセージにて端末１１１aに判定結果を通知する。端末１１１aは、認証装置（方式Ｂ）１０６から、認証要求応答の制御メッセージを受信し、認証に成功した場合、方式Ａから方式Ｂに切替を行う。以降の通信は、方式Ｂにて通信を行うものとする。
【００６３】
図５において、集中型基地局Ａ２０１から方式切替サーバ１０５に通知される制御メッセージは、方式Ｂ切替要求の代わりに図４の方式Ｂチェック要求の制御メッセージであってもよい。その場合、動作シーケンスは図４の方式Ｂチェック要求の制御メッセージ以降に示した動作と同じになる。方式Ｂチェック要求の制御メッセージと方式Ｂ切替要求制御メッセージの違いは、方式Ｂチェック要求の制御メッセージのフローでは、端末１１１aが基地局Ｂ１１０aが送信するリファレンス信号Ｂの受信電力を測定し、方式Ａから方式Ｂへの切替判定を端末１１１aが行う点であり、方式Ｂ切替要求制御メッセージのフローでは、端末１１１aはリファレンス信号Ｂの受信電力による方式切替判断を行わず、方式Ｂに切り替えるためのアクセスと認証処理を実行する点が異なる。
【００６４】
なお、図５では、端末１１１ａが方式Ａの受信電力を報告しているが、方式Ｂの推定受信電力を送付してもよい。この場合、基地局Bの送信出力ＴＸＰ＿Ｂの情報を端末１１１ａが知る必要がある。端末に、オペレータが販売するＳＩＭカードなどによって事前にパラメータ設定してあってもよい。また、３ＧＰＰなどの標準化規格では、周辺セル情報を制御メッセージで定期的に送信することが定められている。この仕組みを用いて、集中型基地局Ａ２０１が周辺セル情報を制御メッセージとして定期的に報知し、この制御メッセージに周辺基地局の送信出力の値を記載し、端末１１１ａは定期的に報知されている制御メッセージを受信することによって、基地局Bの送信出力の情報を収集してもよい。
【００６５】
さらには、図５では、集中型基地局Ａ２０１において、方式Ｂ通信安定度の判定処理を行ったが、この処理を端末１１１ａで行ってもよい。基地局Ｂの送信出力ＴＸＰ＿Ｂの情報は、上記と同様にして収集すればよい。
【００６６】
図６に、本発明の実施形態1における方式Ｂから方式Ａに切り替える動作シーケンスの説明図（実施例１）を示す。まず、端末１１１aは基地局Ｂ１１０a経由で方式Ｂによる通信を行っているものとする。基地局Ｂ１１０aが定期的に送信しているリファレンス信号Ｂを端末１１１aで受信し、端末１１１aは方式切替判断を行う。方式切替判断としては、リファレンス信号Ｂの受信電力測定のＭ個のサンプルに対する平均値ＲＸＰ＿Ｂ（dBm）があらかじめ定められた閾値（Ｔｈｒ４）未満である（数式６）場合、方式を切り替えると判断する。
【００６７】
（数６）
ＲＸＰ＿Ｂ  ＜  Ｔｈｒ４
もしくは、別の実施形態としては、Ｌ個（Ｍ以上）のサンプルに対してリファレンス信号Ｂの受信電力値の分散値ＳＩＧＭＡ＿ＲＸＰ＿Ｂ（dBm）があらかじめ定められた閾値（Ｔｈｒ５）以上の場合（数式７）に方式を切り替えると判断する。
【００６８】
（数７）
ＳＩＧＭＡ＿ＲＸＰ＿Ｂ  ≧  Ｔｈｒ５
もしくは、数式６と数式７の両方を満たした場合に方式を切り替えると判断してもよい。
【００６９】
上記の方式切替判断がなされた後は、端末１１１aは、集中型基地局Ａ２０１にアクセス要求の制御メッセージを送信する。このとき、端末１１１aは基地局Ｂ１１０aからの受信電力が弱い場所に移動してしまったケースを想定して説明する。図２において、端末１１１aは、端末１１１ｂの位置に移動していた場合、無線装置ＲＲＨ＿Ａ２０３aのエリアからも外れてしまっている可能性がある。ただし、無線装置ＲＲＨ＿Ａ２０３ｂのエリア内にいるため、方式Ａで通信することが保証されている。このため、端末１１１aからアクセス要求を集中型基地局Ａ２０１に通知しても、無線装置ＲＲＨ＿Ａ２０３bを経由すれば、集中型基地局Ａと通信することが可能である。
【００７０】
集中型基地局Ａ２０１は、端末１１１aからアクセス要求の制御メッセージを受信すると、端末１１１aにアクセス要求応答を通知する。端末１１１aは、集中型基地局Ａ２０１と無線装置ＲＲＨ＿Ａ２０３ｂの無線リンクを確立した後で、認証装置（方式Ａ）１０４に対して認証要求の制御メッセージを送信する。認証装置（方式Ａ）１０４は、認証要求の制御メッセージを端末１１１aから受信すると、端末ＩＤやユーザＩＤなどの情報によって端末認証、ユーザ認証を行い、正規のユーザ端末であるか否かを判定し、認証要求応答の制御メッセージにて端末１１１aに結果を通知する。端末１１１aは、認証装置（方式Ａ）１０６から、認証要求応答の制御メッセージを受信し、認証に成功した場合、方式Ｂから方式Ａに切替を行う。以降の通信は、方式Ａにて通信を行うものとする。
【実施例２】
【００７１】
図７に、本発明の実施形態1における方式Ｂから方式Ａに切り替える動作シーケンスの説明図（実施例２）を示す。
【００７２】
図７の方式Ａチェック要求の制御メッセージは、図４の方式Ｂチェック要求の制御メッセージと情報要素が同一であり、制御メッセージ種別が異なる。
【００７３】
同様にして、方式Ａチェック要求応答と方式Ｂチェック要求応答、方式Ａチェック指示と方式Ｂチェック指示、方式Ａチェック指示応答と方式Ｂチェック指示応答では、情報要素が同一で、制御メッセージ種別が異なる。
【００７４】
基地局１１０aが定期的に送信しているリファレンス信号Ｂを端末１１１aで受信し、受信電力を測定する。端末１１１aは、測定した受信電力の結果を受信電力報告（方式）Ｂの制御メッセージにて基地局Ｂ１１０aに通知する。基地局Ｂ１１０aでは、受信電力報告（方式）Ｂの制御メッセージを受信すると、測定結果を受けて、上述の数式６による方式Ｂでの端末受信電力の判定を行う。続けて、数式７による移動判定処理を行う。図７では、数式６と数式７による二つの判定を行う例を示したが、どちらか一方だけであっても構わない。
【００７５】
基地局Ｂ１１０aは、上述の端末受信電力判定（方式Ｂ）と移動判定処理を行って、数式６や数式７を満たした場合に、方式Ａチェック要求の制御メッセージを方式切替サーバ１０５に通知する。
【００７６】
方式切替サーバ１０５は、方式Ａチェック要求の制御メッセージを受け取ると、方式Ａチェック要求応答の制御メッセージを基地局Ｂ１１０aに通知する。端末１１１aに、方式Ａチェック指示の制御メッセージを通知する。端末１１１aは、方式Ａチェック指示の制御メッセージを受信すると、方式Ａチェック指示応答を方式切替サーバ１０５に通知する。ここで、方式切替サーバ１０５は、方式Ａチェック指示応答の制御メッセージを受信した後に、基地局Ｂ１１０aに対して方式Ａチェック要求応答の制御メッセージを出すとしても構わない。
【００７７】
端末１１１aは、方式Ａチェック指示に従い、リファレンス信号Ａの受信を開始する。ここで、リファレンス信号Ａは、集中型基地局Ａ２０１から無線装置ＲＲＨ＿Ａ２０３ｂを経由して端末１１１aに届いているものとする。
【００７８】
端末１１１aで、リファレンス信号Ａの受信電力を測定する。この受信電力測定値（ＲＸＰ＿Ａ）が、あらかじめ定められた閾値（Ｔｈｒ６）を超えていれば（数式８）、方式Ａに切り替えることを端末１１１aは判断する。
【００７９】
（数８）
ＲＸＰ＿Ａ≧Ｔｈｒ６
方式Ａに切り替える判断をした端末１１１aは、アクセス要求の制御メッセージを無線装置ＲＲＨ＿Ａ２０３ｂ経由で集中型基地局Ａ２０１に通知し、集中型基地局Ａ２０１からのアクセス要求応答の制御メッセージを受信することで無線リンクを確立する。
【００８０】
端末１１１aは、集中型基地局Ａ２０１と無線装置ＲＲＨ＿Ａ２０３ｂの無線リンクを確立した後で、認証装置（方式Ａ）１０４に対して認証要求の制御メッセージを送信する。認証装置（方式Ａ）１０４は、認証要求の制御メッセージを端末１１１aから受信すると、端末ＩＤやユーザＩＤなどの情報によって端末認証、ユーザ認証を行い、正規のユーザ端末であるか否かを判定し、認証要求応答の制御メッセージにて端末１１１aに結果を通知する。端末１１１aは、認証装置（方式Ａ）１０６から、認証要求応答の制御メッセージを受信し、認証に成功した場合、方式Ｂから方式Ａに切替を行う。以降の通信は、方式Ａにて通信を行うものとする。
【００８１】
ここで、方式切替が頻繁に起こる場合に、過去に認証装置（方式Ａ）で認証をすませていれば、一定時間の間、認証装置（方式Ａ）で認証した状態を記憶しておき、端末１１１aからの認証要求に対して、応答時間の短縮化を図ることも可能である。
【００８２】
図８に、本発明の実施形態1における方式Ｂから方式Ａに切り替える動作シーケンスの説明図（実施例３）を示す。
【００８３】
図７との違いは、基地局１１０aが方式切替サーバ１０５に対して方式Ａチェック要求の制御メッセージを通知するのではなく、方式Ａ切替要求の制御メッセージを通知する点が異なる。
【００８４】
図８の方式Ａ切替要求の制御メッセージは、図５の方式Ｂ切替要求の制御メッセージと情報要素が同一であり、制御メッセージ種別が異なる。
【００８５】
同様にして、方式Ａ切替要求応答と方式Ｂ切替要求応答、方式Ａ切替指示と方式Ｂ切替指示、方式Ａ切替指示応答と方式Ｂ切替指示応答では、情報要素が同一で、制御メッセージ種別が異なる。
【００８６】
方式切替サーバ１０５は、方式Ａ切替要求の制御メッセージを受け取ると、方式Ａ切替要求応答の制御メッセージを基地局Ｂ１１０aに通知する。端末１１１aに、方式Ａ切替指示の制御メッセージを通知する。端末１１１aは、方式Ａ切替指示の制御メッセージを受信すると、方式Ａ切替指示応答を方式切替サーバ１０５に通知する。ここで、方式切替サーバ１０５は、方式Ａ切替指示応答の制御メッセージを受信した後に、基地局Ｂ１１０aに対して方式Ａ切替要求応答の制御メッセージを出すとしても構わない。
【００８７】
端末１１１aは、方式Ａ切替指示に従い、アクセス要求の制御メッセージを無線装置ＲＲＨ＿Ａ２０３ｂ経由で集中型基地局Ａ２０１に通知する。以降の処理は、図７のアクセス要求の動作シーケンスと同じである。
【００８８】
端末１１１aにとって、方式Ａチェック指示と方式Ａ切替指示の制御メッセージの違いは、方式Ａチェック指示では端末１１１aが方式切替の判断を行うが、方式Ａ切替指示では端末１１１aは方式切替の判断を行わず直接、方式切替のアクセス要求を行う点が異なる。
【００８９】
図９（a）は、本発明の実施形態１における基地局Ｂ１１０aが起動状態からスリープ状態に遷移する動作シーケンスの説明図である。
【００９０】
基地局Ｂ１１０aは、一定時間間隔で、スリープ遷移の条件判定を行っている。スリープ遷移の条件として、収容しているユーザが一定時間以上いない場合があげられる。もしくは、収容しているユーザの状態がアクティブ状態ではなく、アイドル状態に遷移しており、すべてのユーザがアイドル状態である時間が一定時間以上経過した場合に、スリープに遷移すると判断する。スリープに遷移すると判断した基地局Ｂ１１０aは、方式切替サーバ１０５に、基地局状態遷移通知の制御メッセージにてスリープ状態に遷移することを通知する。
【００９１】
基地局状態遷移通知の制御メッセージには、基地局ＩＤと、基地局の状態（スリープ状態 or 起動状態）が含まれているものとする。
【００９２】
方式切替サーバ１０５は、基地局状態遷移通知の制御メッセージを受信すると、基地局Ｂ１１０aに基地局状態遷移通知応答の制御メッセージを返信し、基地局状態リストを更新する。もしくは、方式切替サーバ１０５は、基地局状態リストを更新してから、基地局Ｂ１１０aに基地局状態遷移通知応答の制御メッセージを返信してもよい。
【００９３】
図９（ｂ）は、本発明の実施形態1における基地局状態リストの説明図である。
【００９４】
基地局状態リストは、基地局ＩＤをインデックスとして、基地局が起動した状態なのかスリープした状態なのかを記録する。また、基地局状態遷移通知を受信した時刻のタイムスタンプによって、アップデートした時刻を記録する。
【００９５】
図１０は、本発明の実施形態１における基地局Ｂ１１０aのスリープから起動状態に遷移する動作シーケンスの説明図である。
【００９６】
方式切替サーバ１０５が、図４において集中型基地局Ａ２０１から方式Ｂチェック要求を受け取った場合、もしくは図５において集中型基地局Ａ２０１から方式Ｂ切替要求を受け取った場合を契機として動作するシーケンスである。
【００９７】
方式切替サーバ１０５が、集中型基地局Ａ２０１から方式Ｂチェック要求、もしくは方式Ｂ切替要求の制御メッセージを受信すると、方式Ｂチェック要求、もしくは方式Ｂ切替要求で指定されている基地局Ｂ１１０aの基地局ＩＤを検索キーとして、図９（ｂ）に示した基地局状態リストをチェックする。
【００９８】
基地局の状態がスリープ状態である場合には、指定された基地局ＩＤに対して起動指示を行う。この起動指示の制御メッセージは、特定パケットで基地局Ｂ１１０aが起動できるものであればよい。例えば、Ｗａｋｅ  Ｏｎ  ＬＡＮのマジックパケットのような特定パケットで電源を起動することができる。
【００９９】
基地局Ｂ１１０aは、起動指示を受け取ってから起動処理を行い、起動処理が完了して定期的にリファレンス信号Ｂを送信できるようになった後で、方式切替サーバ１０５に基地局状態遷移通知の制御メッセージで、基地局の状態として起動状態であることを通知する。
【０１００】
方式切替サーバ１０５は、基地局状態遷移通知の制御メッセージを受け取ると、指定された基地局ＩＤの状態を起動状態とするように基地局状態リストを更新する。そして、方式切替サーバ１０５は、基地局Ｂ１１０aに対して、基地局状態遷移通知応答の制御メッセージを通知する。
【０１０１】
基地局Ｂ１１０aは、基地局状態遷移通知応答の制御メッセージを受信すると、起動指示応答を方式切替サーバ１０５に通知する。
【０１０２】
別の実施形態では、基地局Ｂ１１０aは起動処理でリファレンス信号Ｂの送信をしない状態で、方式切替サーバ１０５に基地局状態遷移通知を送り、方式切替サーバ１０５からの基地局状態遷移通知応答を受け取ってからリファレンス信号Ｂを送信し始めてもよい。この場合、リファレンス信号Ｂを送信した後で、基地局Ｂ１１０aは、起動指示応答を方式切替サーバ１０５に通知することによって、基地局Ｂが運用状態に入ったことを通知する。
【０１０３】
方式切替サーバ１０５は、起動指示応答の制御メッセージを受け取ると、方式Ｂチェック要求、もしくは方式Ｂ切替要求で指定された基地局ＩＤで集中型基地局Ａ２０１を特定し、周辺セル情報更新の制御メッセージを送付する。
【０１０４】
周辺セル情報更新の制御メッセージには、基地局Ｂ１１０aの基地局ＩＤを指定する。集中型基地局Ａ２０１は、周辺セル情報更新の制御メッセージを受け取ると、定期的に報知している情報の周辺セル情報を更新し、方式切替サーバ１０５に周辺セル情報更新応答を返す。
【０１０５】
ここで、周辺セル情報とは、３ＧＰＰなどの標準化規格で定められた制御メッセージである。方式切替サーバ１０５は、周辺セル情報更新応答の制御メッセージを受信すると、方式Ｂチェック指示もしくは、方式Ｂ切替指示の制御メッセージを端末に送付する。
【０１０６】
端末１１１aは、集中型基地局１１１aが報知している周辺セル情報を受信することで、方式Ｂの基地局Ｂ１１０aの存在を知ることができる。端末１１１aは、方式切替サーバ１０５から方式Ｂチェック指示、もしくは方式Ｂ切替指示を受け取ると、方式Ｂチェック指示応答、もしくは方式Ｂ切替指示応答を方式切替サーバ１０５に通知する。これ以降は、図４や図５で説明した動作シーケンスを行う。
【０１０７】
図１１（a）に、本発明の実施形態１における方式切替サーバにおける端末状態管理の動作シーケンスの説明図を示す。
【０１０８】
端末１１１aが通信方式を方式Ａから方式Ｂに切替が成功した後、もしくは方式Ｂから方式Ａに切替が成功した後で、方式切替サーバ１０５に方式切替通知の制御メッセージで端末が通信している方式を通知する。
【０１０９】
方式切替通知の制御メッセージには、端末ＩＤと端末が通信している方式を情報要素として含むものとする。
【０１１０】
方式切替サーバ１０５は、方式切替通知の制御メッセージを受け取ると、端末状態リストを更新して、方式切替通知応答の制御メッセージを端末１１１aに返す。
【０１１１】
図１１（ｂ）に、本発明の実施形態1における端末状態リストの説明図を示す。端末ＩＤと、それに対応する通信方式（Ｍｏｄｅ）と更新時間を示している。更新時間は、方式切替通知の制御メッセージを受け取って、端末状態リストを更新するときにタイムスタンプをつける。一定時間以上、更新がない場合には、端末状態リストの情報要素を削除する。
【０１１２】
なお、図１１で示した機能は、ネットワークの保守管理機能として、方式切替サーバ１０５に問い合わせることで、ネットワーク管理者が端末が通信している状態を把握する場合に必要な機能である。図１１で示した動作シーケンスについては、方式切替サーバ１０５と端末１１１aがサポートしていない場合であってもよい。
【０１１３】
図１２に、本発明の実施形態１における集中型基地局Ａ２０１の構成図を示す。無線インタフェース部１２０１と、モデムＡ１２０２a・１２０２ｂ・１２０２ｃ、制御部１２０３、有線インタフェース部１２０４とで構成される。なお、モデムＡが３つのケースについて記載したが、１つであっても複数であってもよい。
【０１１４】
無線インタフェース部は、無線装置ＲＲＨ＿Ａ２０３aなどに接続するためのインタフェース処理を行う。モデムＡ１２０２a・１２０２ｂ・１２０２ｃなど、ディジタルＩＱ信号を収容し、宛先となる無線装置ＲＲＨ＿Ａ２０３aなどの出力ポートにモデムＡの出力を接続する機能を持つ。ディジタルＩＱ信号を、例えばＣＰＲＩ（Ｃｏｍｍｏｎ  Ｐｕｂｌｉｃ  Ｒａｄｉｏ  Ｉｎｔｅｒｆａｃｅ）と呼ばれるインタフェースに従って信号を生成し、電気信号を光信号に変換して各無線装置ＲＲＨ＿Ａ２０３a・２０３ｂ等に通信する機能を持つ。
【０１１５】
有線インタフェース１２０４は、基地局まで引いてあるバックホール回線との有線インタフェースに関する信号処理を行う。例えば、イーサ信号の送受信信号処理を行う。基地局まで引いてあるバックホール回線が光である場合、光をメディア変換してイーサ信号に変換し、有線インタフェース１２０４に繋げる。
【０１１６】
図１３に、本発明の実施形態１における集中型基地局Ａ２０１のモデムＡの構成図を示す。モデムＡ１２０２は、送信処理部１３０１、リファレンス信号生成部１３０２、受信処理部１３０２、受信電力測定部１３０４とで構成される。
【０１１７】
送信処理部１３０２は、リファレンス信号生成部１３０２で生成されたリファレンス信号や、有線インタフェース１２０４から受け取るデータ信号、制御部１２０３から受け取る制御信号（制御メッセージ）に対する送信処理を行う。標準の通信方式で定められた規格に従って信号処理を行い、無線インタフェースにディジタルＩＱの送信信号を通知する。
【０１１８】
受信処理部１３０３は、無線インタフェースからのディジタルＩＱの受信信号を受け取り標準の通信方式で定められた規格に従って信号処理を行う。制御信号は制御部１２０３に通知し、データ信号は有線インタフェース１２０４に通知する。
【０１１９】
受信電力測定部１３０４では、端末がアップリンクで送信しているリファレンス信号、またはデータ信号に対する受信電力を測定する機能を持つ。測定した受信電力を制御部１２０３の受信電力情報として通知する。
【０１２０】
図１４（a）に、本発明の実施形態１における集中型基地局Ａ２０１の制御部の説明図を示す。
【０１２１】
制御部１２０３は、制御信号処理部１４０１、移動判定処理部１４０２、端末受信電力推定処理部１４０３とで構成され、受信電力情報１４０４と基地局Ｂ無線装置対応情報１４０５、補正テーブル１４０６のデータベースを持つ。
【０１２２】
制御信号処理部１４０１は、標準で規定された通信プロトコルと、上述の動作シーケンスに従った制御メッセージの送受信処理を行う。
【０１２３】
移動判定処理部１４０２では、上述の数式５による受信電力の分散値を用いた移動判定処理を行う。
【０１２４】
端末受信電力推定処理部１４０３では、上述の数式１〜数式４で説明した方式Ｂにおける端末の受信電力を推定する処理を行う。
【０１２５】
図１４（ｂ）に、本発明の実施形態1における基地局Ｂ・無線装置対応情報のデータベースの説明図を示す。無線装置ＩＤと、基地局ＢのＩＤの対応関係を示している。例えば、無線装置ＩＤが１００１であった場合、無線装置ＲＲＨ＿Ａ  ２０３ａを表しているとする。また、基地局ＢＩＤが０００１であることが、基地局Ｂ１１０aを表しているとする。このとき、無線装置ＲＲＨ＿Ａ  ２０３ａと基地局Ｂ１１０aが同じアンテナを使用しているか、もしくは近い場所から送信していることを表している。近い場所の定義としては、受信電力を図った場合に差があらかじめ定められた閾値以内である場合を指す。この基地局Ｂ・無線装置対応情報のデータベースは、ネットワークオペレータがシステムパラメータとして保守装置から入力してもよい。また、後述の方法によって自動登録してもよい。
【０１２６】
図１５に、本発明の実施形態１における集中型基地局Ａ２０１の制御部の受信電力情報の説明図を示す。
【０１２７】
受信電力の種類としては、基地局が送信しているリファレンス信号を端末で測定し、端末からの制御メッセージで通知された値をベースとしたもの、端末がアップリンクで送信しているリファレンス信号を集中型基地局Ａ２０１のモデムＡの受信電力測定部１３０４測定した受信電力をベースとしたもの、端末がアップリンクで送信しているデータ信号を集中型基地局Ａ２０１のモデムＡの受信電力測定部１３０４測定した受信電力をベースとしたものの３種類がある。
【０１２８】
端末ＩＤ毎に、測定した値の平均値と分散値を求める。なお、平均値の求め方としては、ある一定時間内のサンプルに対して、単純平均を行う方法や、最新のサンプル値に係数ｋをかけて過去の平均値に(１-ｋ）をかけて足し合わせる移動平均によって求める方法がある。分散値も、ある一定時間内のサンプルに対して求める。最後にサンプルデータが得られた時間をタイムスタンプとして残しておくことによって、一定時間以上経過したデータ要素を廃棄することができる。
【０１２９】
これらの３種類のうち、いずれを用いるかをシステムパラメータによってネットワークオペレータがコンフィグレーションによって定めてもよい。
【０１３０】
もしくは、３種類のデータに対し、それぞれ事前に定めた係数をかけて合計した値を用いてもよい。具体的には、係数をｋ１、ｋ２、ｋ３とし、受信電力の平均値をｘ１、ｘ２、ｘ３とした場合、数式９で求めるｘを受信電力の平均値として用いてもよい。
【０１３１】
（数９）
Ｘ＝ｋ１×ｘ１＋ｋ２×ｘ２＋ｋ３×ｘ３
分散値についても同様の係数によって求める方法であってもよい。
【０１３２】
図１６（a）に、本発明の実施形態１における集中型基地局の制御部における端末受信電力推定処理部のフロー説明図を示す。
【０１３３】
Ｓｔｅｐ１で、端末の受信電力値を図１５に示した受信電力情報のデータベースから抽出する。
【０１３４】
Ｓｔｅｐ２では、数式１で示したように基地局Ａの送信出力と受信電力の差分からパスロスを計算する。
【０１３５】
Ｓｔｅｐ３では、数式２で示したように、基地局Ａのパスロス値に方式の違いで周波数に対応する補正テーブルの値を加算することで基地局Ｂを使った場合のパスロスの推定値を求める。
【０１３６】
Ｓｔｅｐ４では、数式３で示したように基地局Ｂの送信出力と補正されたパスロスから、端末における基地局Ｂの受信電力の推定値を求める。
【０１３７】
図１６（b）に、本発明の実施形態１における集中型基地局の制御部における端末受信電力推定処理部での補正テーブル１４０６のデータベースの説明図を示す。方式と対応する周波数、図１６（a）のＳｔｅｐ３で加算するパスロスの値を要素として持つ。このテーブルは、ネットワークオペレータがシステムパラメータとして設定してもよい。
【０１３８】
別の実施形態として、数式４で求まった方式Ｂの推定受信電力ＲＸＰ＿Ｂ１と、実際に方式Ｂで通信して端末で測定した受信電力ＲＸＰ＿Ｂ２の差分を学習してＯＦＦＳＥＴの値を更新する方法について説明する。図４で、集中型基地局Ａ２０１が端末受信電力推定（方式Ｂ）で推定した方式Ｂの推定受信電力ＲＸＰ＿Ｂ１を端末ＩＤと一緒に記憶しておく。また、端末１１１aで測定したリファレンス信号Ｂの受信電力測定結果を端末１１１aは集中型基地局Ａ２０１の基地局ＩＤと一緒に記憶しておく。この記憶しておいた受信電力値は、次回、端末１１１aが方式Ｂから方式Ａに通信を切り替えた場合に、集中型基地局Ａ２０１に制御メッセージにて通知する。例えば、受信電力報告（方式Ａ）の制御メッセージに方式Ｂへの切替時におけるリファレンス信号Ｂの受信電力値ＲＸＰ＿Ｂ２を情報要素として追加すればよい。これによって、集中型基地局Ａ２０１では、端末ＩＤに対応するＲＸＰ＿Ｂ１とＲＸＰ＿Ｂ２の差分を知ることができる。これによって、集中型基地局Ａ２０１の制御部は数式１０によって補正すべきオフセットを更新することができる。
【０１３９】
（数１０）
ＯＦＦＳＥＴ（ｎ＋１）＝ａ×（ＲＸＰ＿Ｂ１−ＲＸＰ＿Ｂ２）＋（１−ａ）×ＯＦＦＳＥＴ（n）
図１７に、本発明の実施形態１における基地局Ｂの構成図を示す。
【０１４０】
基地局Ｂ１１０は、アンテナ１７０１a・１７０１ｂ、無線部１７０１、モデムＢ１７０２、制御部１７０７、有線インタフェース部１７１３とで構成される。アンテナ１７０１a・１７０１ｂは、無線信号を送受信する。
【０１４１】
無線部１７０１では、モデムＢ１５０２のディジタルＩＱの信号を受けてディジタル信号からアナログ信号へ変換して無線信号を送信し、アンテナ１７０１a・１７０１ｂから受けた無線信号をアナログ信号からディジタル信号に変換しディジタルＩＱ信号を作成してモデムＢ１５０２に受信信号として渡す機能を持つ。また、信号の増幅や帯域フィルタなどの機能も持つ。
【０１４２】
モデムＢ１７０２は、方式Ｂの標準規格に準拠したものであり、基本的な機能は、図１３で説明した方式ＡのモデムＡと同じ構成をとっている。
【０１４３】
制御部１７０７は、制御信号処理部１７０８、移動判定処理部１７０９、端末受信電力判定部１７１０、スリープ判定部１７１２とで構成され、受信電力情報１７１１のデータベースを持つ。
【０１４４】
制御信号処理部１７０８は、方式Ｂの標準で規定された通信プロトコルと、上述の動作シーケンスに従った制御メッセージの送受信処理を行う。
【０１４５】
移動判定処理部１７０９では、上述の数式７による受信電力の分散値を用いて図７または図８に示した移動判定処理を行う。
【０１４６】
端末受信電力判定部１７１０では、上述の数式６で説明した方式Ｂによる通信で受信電力のばらつきが大きいことを検出し、図７または図８に示した端末受信電力判定（方式Ｂ）の処理を行う。
【０１４７】
なお、受信電力情報１７１１のデータベースは、図１５で説明したものと同じである。これらの３種類のうち、いずれを用いるかをシステムパラメータによってネットワークオペレータがコンフィグレーションによって定めてもよい。もしくは、３種類のデータに対し数式９で求めた値を用いてもよい。
【０１４８】
図１８に、本発明の実施形態１における端末１１１の構成図を示す。
【０１４９】
端末１１１は、アンテナ１８０１a・１８０１ｂ、無線切替処理部１８０２、無線部（方式Ａ）１８０３、モデムＡ１８０４、無線部（方式Ｂ）１８０９、モデムＢ１８１０、モデム切替処理部１８１５、制御部１８１６、外部インタフェース１８２１とで構成される。
【０１５０】
無線切替処理部１８０２では、アンテナ１８０１a・１８０１ｂの無線送受信信号を、無線部（方式Ａ）１８０３と無線部（方式Ｂ）１８０９のどちらに接続するか切り替える処理を行う。この切替処理は、図４から図８で示した動作シーケンスに従い、制御部１８１６の制御信号処理部１８２０の処理の結果として切替が実行される。
【０１５１】
無線部（方式Ａ）１８０３では、モデムＡ１８０４のディジタルＩＱの信号を受けてディジタル信号からアナログ信号へ変換して無線信号を送信し、アンテナ１８０１a・１８０１ｂからの無線受信信号をアナログ信号からディジタル信号に変換しディジタルＩＱ信号を作成してモデムＡ１８０４に受信信号として渡す機能を持つ。また、信号の増幅や帯域フィルタなどの機能も持つ。
【０１５２】
無線部（方式Ｂ）１８０４についても、同様の機能を持つ。方式Ａと方式Ｂで対応する周波数の違いや帯域フィルタ特性などが異なっている。
【０１５３】
モデムＡ１８０４は、方式Ａの標準規格に準拠した端末側のモデム機能を搭載するものであり、図１３で説明した方式ＡのモデムＡと同じ構成をとっている。モデムＢ１８１０も、方式Ｂの標準規格に準拠した端末側のモデム機能を搭載し、図１３で説明した方式ＡのモデムＡと同じ構成をとっている。
【０１５４】
モデム切替処理部１８１５は、外部インタフェース１８２１と送受信するデータ信号や制御部１８１６と送受信する制御信号を、モデムＡ１８０４とモデムＢ１８１０のどちらのモデムに接続するか切り替える処理を行う。
【０１５５】
この切替処理は、図４から図８で示した動作シーケンスに従い、制御部１８１６の制御信号処理部１８２０の処理の結果として切替が実行される。
【０１５６】
制御部１８１６は、制御信号処理部１８２０と方式切替判断部１８１９とで構成され、受信電力情報（方式Ａ）１８１７と受信電力情報（方式Ｂ）１８１８をデータベースとして持つ。
【０１５７】
制御信号処理部１８２０は、方式Ａ、または方式Ｂのどちらかの方式かに従って標準で規定された通信プロトコルと、上述の動作シーケンスに従った制御メッセージの送受信処理を行う。
【０１５８】
方式切替判断部１８１９は、図４、図６、図７で示した方式切替判断を行う。
【０１５９】
外部インタフェース１８２１は、音声の場合は外部のスピーカやマイクとの接続、データ通信であれば外部通信機器とのデータ信号のやり取りを行うためのインタフェースである。
【０１６０】
図１９に、本発明の実施形態１における結合装置の説明図を示す。
【０１６１】
結合装置は、方式Ａの送受信アンテナ１９０１a・１９０１ｂ、方式Ｂの送受信アンテナ１９０２a・１９０２ｂ、アンテナの共用器１９０３a・１９０３ｂ・１９０３ｃ・１９０３ｄ、電力測定１９０４a・１９０４ｂ・１９０４ｃ・１９０４ｄ、２合成器１９０６a・１９０６ｂ、２分配器１９０７a・１９０７ｂ、共用器１７０８a・１７０８ｂ、制御部１９０５、外部供給電源制御部１９０９、外部通信用ポート１９１１とで構成される。
【０１６２】
別の実施形態では、電力測定１９０４a・１９０４ｂ・１９０４ｃ・１９０４ｄや制御部１９０５、外部供給電源制御部１９０９がない構成であってもよい。
【０１６３】
共用器１９０３a・１９０３ｂ・１９０３ｃ・１９０３ｄ・１７０８a・１７０８ｂは、無線機において送受信アンテナを共用するためのアンテナ共用器である。２合成器は、方式Ａと方式Ｂの送信信号を合成するためのもの、分配器は方式Ａと方式Ｂの受信信号を分離するものである。
【０１６４】
電力測定１９０４a・１９０４ｂ・１９０４ｃ・１９０４ｄでは、センタ周波数と帯域幅を指定した送信信号に対して電力を測定し、あらかじめ定められた閾値（Ｔｈｒ７）を超えた場合に電波を検出したとして、制御部１９０５に通知する。また、あらかじめ定められた別の閾値（Ｔｈｒ８）未満の電力になった場合に、電波が止まったとして制御部１９０５に通知する。
【０１６５】
これによって、方式Ａ、方式Ｂが一定時間の間に送受信を行っているかどうか状態を管理することができる。
【０１６６】
制御部１９０５では、電力測定から検出された信号が、方式Ａの送受信アンテナ１９０１a・１９０１ｂ、方式Ｂの送受信アンテナ１９０２a・１９０２ｂのそれぞれについて電波が検出されたか否かを示す状態を管理する。電波が検出された、もしくは電波が止まった時刻のタイムスタンプを記憶しておく。このタイムスタンプが一定時間以上経過した場合には、制御部１９０５が各電力測定１９０４a・１９０４ｂ・１９０４ｃ・１９０４ｄで測定している電力値を読みにいくことによって状態を確認してアップデートする。
【０１６７】
外部通信用ポート１９１１は、イーサネット(登録商標)の信号などの通信ポートである。この外部通信用ポート１９１１は、電力の検出状況を外部から制御部１９０５に問い合わせるのに用いる。
【０１６８】
外部供給電源制御部１９０９は、外部から電源供給のための特殊パケットが送付されたとき、結合装置２０４に接続されている基地局Ｂ１１０の電源を投入する機能を持つ。
【０１６９】
図２０に、本発明の実施形態１における結合装置で検出した方式を問い合わせる動作シーケンスの説明図を示す。集中型基地局Ａ２０１は、結合装置２０４に対して結合状況通知要求の制御メッセージを通知する。この制御メッセージは、結合装置の特定ＩＰアドレスに対して送付する場合は、集中型基地局Ａ２０１は結合装置２０４のＩＰアドレスを保持する必要がある。もし、結合装置２０４のＩＰアドレス管理しない場合は、ブロードキャストメッセージによって制御メッセージを送付してもよい。
【０１７０】
結合装置２０４は、結合状況通知要求の制御メッセージを受け取ると、図１９で説明したように、方式Ａのみの送信信号を検出しているのか、方式Ｂのみの送信信号を検出しているのか、方式Ａと方式Ｂの送信信号を検出しているのか、両方の方式の送信信号を検出していないのかといった結合状況を検出する。
【０１７１】
検出した結合状況を情報要素として持つ結合状況通知の制御メッセージを集中型基地局Ａ２０１に通知する。これによって、自動的にアンテナが結合されて使用されているかどうか判別することができる。
【０１７２】
図２０の実施形態をサポートしていなくても、ネットワークオペレータがシステムパラメータによって、方式Ａの無線装置ＲＲＨ＿Ａと方式Ｂの基地局が結合されているか否か登録したテーブルを保持する方法であってもよい。
【０１７３】
図２１に、本発明の実施形態１における基地局Ｂの電源起動の動作シーケンスの説明図を示す。
【０１７４】
集中型基地局Ａ２０１は、結合装置２０４に向けてＷａｋｅ  Ｏｎ  ＬＡＮのマジックパケットを送信する。結合装置２０４は、マジックパケットを受信すると、外部供給電源制御部１９０９で基地局Ｂ１１０に供給する電源を起動する。これによって、基地局Ｂのシステムが起動する仕組みを提供することができる。
【０１７５】
もし、基地局ＢがＷａｋｅ  Ｏｎ  ＬＡＮのマジックパケットで起動する仕組みが備わっている場合には、集中型基地局Ａ２０１は直接、基地局Ｂ１１０に対してＷａｋｅ  Ｏｎ  ＬＡＮのマジックパケットを送信してもよい。
【０１７６】
図２２に、本発明の実施形態１における方式切替サーバの構成図を示す。
【０１７７】
方式切替サーバ１０５は、制御部２２０１と有線インタフェース部２２０７とで構成される。有線インタフェース部２２０７は、イーサネットなど外部との通信インタフェース処理を行う。
【０１７８】
制御部２２０１は、制御信号処理部２２０６と方式切替処理部２２０５とで構成され、基地局状態リスト２２０２と端末状態リスト２２０３、接続ポリシー２２０４のデータベースを保持する。
【０１７９】
端末制御信号処理部２２０５は、上述の動作シーケンスをのうち、端末との制御メッセージのやり取りを行う。
【０１８０】
基地局制御信号処理部２２０５は、上述の動作シーケンスのうち、基地局との制御メッセージにやりとりを行う。
【０１８１】
基地局状態リスト２２０２は、図９（ｂ）で説明したものである。
【０１８２】
端末状態リスト２２０３は、図１１（ｂ）で説明したものである。
【０１８３】
接続ポリシー２２０４は、非特許文献１のＡＮＤＳＦにおける接続ポリシーと同じデータベースである。
【０１８４】
図２３に、本発明の別の実施形態３のシステム構成図を示す。
【０１８５】
図２の基地局Ｂ１１０aの機能をモデムＢと無線装置ＲＲＨ＿Ｂ２３０２に機能を分離し、集中型基地局２３０１に基地局Ｂ１１０のモデムＢの機能を統合し、また方式切替サーバ１０５の機能も集中型基地局２３０１に搭載する。動作シーケンスとしては、基地局Ｂや方式切替サーバ１０５に対する制御メッセージを、集中型基地局２３０１の装置内に閉じることができる。なお、方式切替サーバ１０５の機能は、集中型基地局２３０１に含まない場合であってもよい。
【０１８６】
図２４に、本発明の別の実施形態４のシステム構成図を示す。
【０１８７】
集中型基地局２４０１に、方式切替サーバ１０５、基地局Ａ１０９a・基地局Ｂ１１０aの機能を搭載する。動作シーケンスの制御メッセージは、集中型基地局の装置内にすべて集約することができる。
【０１８８】
実施形態１・２・３・４のいずれにおいても、上述の動作シーケンスを実現することができる。
【符号の説明】
【０１８９】
１０１：インターネット
１０２：ゲートウェイ（方式Ａ）
１０３：ゲートウェイ（方式Ｂ）
１０４：認証装置（方式Ａ）
１０５：方式切替サーバ
１０６：認証装置（方式Ｂ）
１０７：キャリア網（方式Ａ）
１０８：キャリア網（方式Ｂ）
１０９a・１０９ｂ：基地局Ａ
１１０a：基地局Ｂ
１１１a・１１１ｂ：端末
２０１：集中型基地局Ａ
２０２：伝送装置
２０３a・２０３ｂ：無線装置ＲＲＨ＿Ａ
２０４：結合装置
３０１a・３０１ｂ・３０１ｃ・３０１ｄ・３０１e・３０１ｆ・３０１ｇ・３０１ｈ・３０１i：アンテナ
３０２：高速バックホール回線終端装置
１２０１：無線インタフェース部
１２０２a・１２０２ｂ・１２０２ｃ：モデムＡ
１２０３：制御部
１２０４：有線インタフェース部
１３０１：送信処理部
１３０２：リファレンス信号生成部
１３０３：受信処理部
１３０４：受信電力測定部
１４０１：制御信号処理部
１４０２：移動判定処理部
１４０３：端末受信電力推定処理部
１４０４：受信電力情報
１４０５：基地局Ｂ無線装置対応情報
１４０６：補正テーブル
１７０１：無線部
１７０２：モデムＢ
１７０３：送信処理部
１７０４：リファレンス信号生成部
１７０５：受信処理部
１７０６：受信電力測定部
１７０７：制御部
１７０８：制御信号処理部
１７０９：移動判定処理部
１７１０：端末受信電力判定部
１７１１：受信電力情報
１７１２：スリープ判定部
１７１３：有線インタフェース部
１８０１a・１８０１ｂ：アンテナ
１８０２：無線切替処理部
１８０３：無線部（方式Ａ）
１８０４：モデムＡ
１８０５：送信部
１８０６：リファレンス生成部
１８０７：受信部
１８０８：電力測定部
１８０９：無線部（方式Ｂ）
１８１０：モデムＢ
１８１１：送信部
１８１２：受信部
１８１３：リファレンス生成部
１８１４：電力測定部
１８１５：モデム切替処理部
１８１６：制御部
１８１７：受信電力情報（方式Ａ）
１８１８：受信電力情報（方式Ｂ）
１８１９：方式切替判断部
１８２０：制御信号処理部
１８２１：外部インタフェース
１９０１a・１９０１ｂ：送受信アンテナ（方式Ａ）
１９０２a・１９０２ｂ：送受信アンテナ（方式Ｂ）
１９０３a・１９０３ｂ・１９０３ｃ・１９０３ｄ：共用器
１９０４a・１９０４ｂ・１９０４ｃ・１９０４ｄ：電力測定
１９０５：制御部
１９０６a・１９０６ｂ：２合成器
１９０７a・１９０７ｂ：２分配器
１９０８a・１９０８ｂ：共用器
１９０９：外部供給電源制御部
１９１０a・１９１０ｂ：送受信共用アンテナ
１９１１：外部通信用ポート
２２０１：制御部
２２０２：基地局状態リスト
２２０３：端末状態リスト
２２０４：接続ポリシー
２２０５：端末制御信号処理部
２２０６：基地局制御信号処理部
２２０７：有線インタフェース部
２３０１：集中型基地局    
２３０２：無線装置ＲＲＨ＿Ｂ
２４０１：集中型基地局
【図１】
2015002494.tif 000003
【図２】
2015002494.tif 000004
【図３】
2015002494.tif 000005
【図４】
2015002494.tif 000006
【図５】
2015002494.tif 000007
【図６】
2015002494.tif 000008
【図７】
2015002494.tif 000009
【図８】
2015002494.tif 000010
【図９（ａ）】
2015002494.tif 000011
【図９（ｂ）】
2015002494.tif 000012
【図１０】
2015002494.tif 000013
【図１１（ａ）】
2015002494.tif 000014
【図１１（ｂ）】
2015002494.tif 000015
【図１２】
2015002494.tif 000016
【図１３】
2015002494.tif 000017
【図１４（ａ）】
2015002494.tif 000018
【図１４（ｂ）】
2015002494.tif 000019
【図１５】
2015002494.tif 000020
【図１６（ａ）】
2015002494.tif 000021
【図１６（ｂ）】
2015002494.tif 000022
【図１７】
2015002494.tif 000023
【図１８】
2015002494.tif 000024
【図１９】
2015002494.tif 000025
【図２０】
2015002494.tif 000026
【図２１】
2015002494.tif 000027
【図２２】
2015002494.tif 000028
【図２３】
2015002494.tif 000029
【図２４】
2015002494.tif 000030